(57)【要約】【課題】靴の用途、コンセプト、コスト等を考慮し、必要な機能を有する部材を靴底の各部位に適宜配置する設計を容易に行うことができる靴底の緩衝構造を提供する。【解決手段】本発明の靴底の緩衝構造は、中足部Ｍおよび後足部Ｂを支持するように、中足部Ｍおよび後足部Ｂの少なくとも一部を覆う樹脂製のベースプレート１と、ベースプレート１の下方に配置され、互いに別体に形成された複数の緩衝モジュール２1 〜２4 とを備える。ベースプレート１は、各緩衝モジュール２1 〜２4 を位置決めするための位置決め要素を有する。各緩衝モジュール２1 〜２4 は、ベースプレート１の下面よりも下方に突出する部分を有し、着地の衝撃を吸収する緩衝要素２０と；緩衝要素２０の下面に接合され、路面に接地するアウターソール２５と；位置決め要素により各緩衝モジュール２1 〜２4 が位置決めされるための被位置決め要素と；を有する。【選択図】  図２
2007089734.tif 000002
【特許請求の範囲】
【請求項１】
靴底の緩衝構造であって、
中足部および後足部を支持するように、中足部および後足部の少なくとも一部を覆う、樹脂製のベースプレートと、
前記ベースプレートの少なくとも下方に配置され、互いに別体に形成された複数の緩衝モジュールとを備え、
前記ベースプレートは、後足部の周縁に沿った概ねＵ字状の部位において連なって形成されており、かつ、中足部において足幅方向に連なって形成されており、
前記ベースプレートは、前記各緩衝モジュールを足長方向および足幅方向の双方に位置決めするための位置決め要素を有し、
前記各緩衝モジュールは：
前記ベースプレートの下面よりも下方に突出する部分を有し、着地の衝撃を吸収する緩衝要素と；
当該緩衝要素の下面に接合され、路面に接地するアウターソールと；
前記位置決め要素により前記各緩衝モジュールが足長方向および足幅方向の双方に位置決めされるための被位置決め要素と；を有し、
前記位置決め要素および被位置決め要素により、前記各緩衝モジュールが前記ベースプレートの所定の位置に位置決めされて配置されており、
前記各緩衝モジュールの天面の少なくとも一部が前記ベースプレートの下面に固着されており、
後足部には、少なくとも２個以上の前記緩衝モジュールが配置されており、当該後足部の緩衝モジュールの緩衝要素は脚状に形成されており、
前記後足部の緩衝モジュールは、少なくとも前後および／または内外に本質的に分離されて配置されており、
後足部の各緩衝要素において、前記ベースプレートの下面よりも上方に突出した部分が無いか、あるいは、前記ベースプレートの下面よりも下方に突出した部分の体積が、前記ベースプレートの下面よりも上方に突出した部分の体積よりも大きく設定されている靴底の緩衝構造。
【請求項２】
請求項１において、前記ベースプレートは樹脂の非発泡体のプレートを含む靴底の緩衝構造。
【請求項３】
請求項１もしくは２において、前記ベースプレートは少なくとも前足部のＭＰ関節の近傍の部位から後足部の後端にわたって設けられている靴底の緩衝構造。
【請求項４】
請求項１もしくは２において、前記位置決め要素として、前記ベースプレートに、開口または凹部が設けられ、
前記被位置決め要素として、前記各緩衝要素に、前記開口または凹部に係合可能な凸部が設けられ、
前記凸部が前記開口または凹部に下面側から嵌まり込んでいることで、前記各緩衝モジュールが前記ベースプレートの所定の位置に位置決めされた状態で固着されている靴底の緩衝構造。
【請求項５】
請求項４において、前記ベースプレートの下面には、前記開口または凹部の周囲において、概ねフラットな平坦面が形成されており、
前記緩衝要素の凸部の周囲の部分が前記ベースプレートの前記平坦面に密着した状態で、前記各緩衝モジュールが前記ベースプレートに固着されている靴底の緩衝構造。
【請求項６】
請求項１から５のいずれか１項において、前記ベースプレートの中足部における足幅方向の単位幅当たりの曲げ剛性が、前記ベースプレートの後足部におけるそれよりも大きく設定されている、靴底の緩衝構造。
【請求項７】
請求項１もしくは２において、前記ベースプレートは一体成形されていると共に、前足部から後足部にわたって延びており、
前記複数の緩衝モジュールは前足部および後足部に配置されており、
中足部において、前記ベースプレートの下方には緩衝要素が実質的に配置されておらず、
これにより、前記後足部の緩衝モジュールと前記前足部の緩衝モジュールとが実質的に互いに分断されている靴底の緩衝構造。
【請求項８】
靴底の緩衝構造であって、
中足部および後足部を支持するように、中足部および後足部の少なくとも一部を覆う、樹脂製のベースプレートと、
前記ベースプレートの少なくとも下方に配置され、互いに別体に形成された複数の緩衝モジュールとを備え、
前記ベースプレートは、前記各緩衝モジュールを位置決めするための位置決め要素を有し、
前記各緩衝モジュールは：
前記ベースプレートの下面よりも下方に突出する部分を有し、着地の衝撃を吸収する緩衝要素と；
当該緩衝要素の下面に接合され、路面に接地するアウターソールと；
前記位置決め要素により前記各緩衝モジュールが位置決めされるための被位置決め要素と；を有し、
前記位置決め要素および被位置決め要素により、前記各緩衝モジュールが前記ベースプレートの所定の位置に位置決めされて配置されている靴底の緩衝構造。
【請求項９】
請求項１もしくは８において、少なくとも１つの前記緩衝モジュールの緩衝要素は、前記被位置決め要素として、複数の凸部を有し、
前記ベースプレートは、前記複数の凸部を含む緩衝モジュールを位置決めするための位置決め要素として、複数の開口または凹部を有し、
前記複数の凸部が前記複数の開口または凹部に嵌まり込んでいることで、前記複数の凸部を含む緩衝モジュールが前記ベースプレートの所定の位置に位置決めされて配置されている靴底の緩衝構造。
【請求項１０】
請求項１もしくは８において、前記ベースプレートは樹脂の非発泡体のプレートを含み、
該樹脂の非発泡体のプレートが少なくとも前足部のＭＰ関節よりも前方の部位から後足部の後端にわたって設けられている靴底の緩衝構造。
【請求項１１】
請求項１０において、少なくとも中足部を含む部位において、前記ベースプレートの下方に中足部の屈曲やネジレを抑制する樹脂の非発泡体の強化部材が設けられており、
中足部において、前記強化部材の少なくとも一部が前記ベースプレートに対して本質的に上下に離間して配置されている靴底の緩衝構造。
【請求項１２】
請求項８において、
少なくとも中足部を含む部位において、前記ベースプレートの下方に中足部の屈曲やネジレを抑制する強化部材が設けられており、該強化部材は前端部および後端部を有し、
前記複数の緩衝モジュールのうちのいずれかの緩衝モジュールには、前記前端部を接合するための第１接合部が設けられており、
前記複数の緩衝モジュールのうちのいずれかの緩衝モジュールには、前記後端部を接合するための第２接合部が設けられており、
前記前端部が前記第１接合部に接合され、前記後端部が前記第２接合部に接合された靴底の緩衝構造。
【請求項１３】
請求項８に記載の緩衝構造を備えた靴底の製造方法であって、
第１および第２の位置と前記各位置に対応する第１および第２の位置決め要素とを有するベースプレートと；前記ベースプレートの前記第１の位置に接合可能で、かつ、前記第１の位置決め要素により前記第１の位置に位置決めされるための第１の被位置決め要素を有する複数種類の第１の緩衝モジュールと；前記ベースプレートの前記第２の位置に接合可能で、かつ、前記第２の位置決め要素により前記第２の位置に位置決めされるための第２の被位置決め要素を有する複数種類の第２の緩衝モジュールと；を予め準備し、
前記準備された複数種類の第１の緩衝モジュールのうち、所望の第１の緩衝モジュールを選択し、
前記準備された複数種類の第２の緩衝モジュールのうち、所望の第２の緩衝モジュールを選択し、
前記第１の位置決め要素と前記選択された第１の緩衝モジュールの第１の被位置決め要素とにより、前記選択された第１の緩衝モジュールを前記ベースプレートの前記第１の位置に位置決めして固着し、
前記第２の位置決め要素と前記選択された第２の緩衝モジュールの第２の被位置決め要素とにより、前記選択された第２の緩衝モジュールを前記ベースプレートの前記第２の位置に位置決めして固着する靴底の製造方法。
【請求項１４】
請求項８に記載の緩衝構造を備えた靴底の製造方法であって、
第１および第２の位置と前記各位置に対応する第１および第２の位置決め要素とを有する複数種類のベースプレートと；前記各ベースプレートの前記第１の位置に接合可能で、かつ、前記第１の位置決め要素により前記第１の位置に位置決めされるための第１の被位置決め要素を有する第１の緩衝モジュールと；前記各ベースプレートの前記第２の位置に接合可能で、かつ、前記第２の位置決め要素により前記第２の位置に位置決めされるための第２の被位置決め要素を有する第２の緩衝モジュールと；を予め準備し、
前記準備された複数種類のベースプレートのうち、所望のベースプレートを選択し、
前記選択されたベースプレートの第１の位置決め要素と前記第１の緩衝モジュールの第１の被位置決め要素とにより、前記第１の緩衝モジュールを前記選択されたベースプレートの前記第１の位置に位置決めして固着し、
前記選択されたベースプレートの第２の位置決め要素と前記第２の緩衝モジュールの第２の被位置決め要素とにより、前記第２の緩衝モジュールを前記選択されたベースプレートの前記第２の位置に位置決めして固着する靴底の製造方法。
【請求項１５】
請求項８に記載の緩衝構造を備えた靴底の製造方法であって、
第１および第２の位置と前記各位置に対応する第１および第２の位置決め要素とを有する複数種類のベースプレートと；前記各ベースプレートの前記第１の位置に接合可能で、かつ、前記第１の位置決め要素により前記第１の位置に位置決めされるための第１の被位置決め要素を有する複数種類の第１の緩衝モジュールと；前記各ベースプレートの前記第２の位置に接合可能で、かつ、前記第２の位置決め要素により前記第２の位置に位置決めされるための第２の被位置決め要素を有する複数種類の第２の緩衝モジュールと；を予め準備し、
前記準備された複数種類のベースプレートのうち、所望のベースプレートを選択し、
前記準備された複数種類の第１の緩衝モジュールのうち、所望の第１の緩衝モジュールを選択し、
前記準備された複数種類の第２の緩衝モジュールのうち、所望の第２の緩衝モジュールを選択し、
前記選択されたベースプレートの第１の位置決め要素と前記選択された第１の緩衝モジュールの第１の被位置決め要素とにより、前記選択された第１の緩衝モジュールを前記選択されたベースプレートの前記第１の位置に位置決めして固着し、
前記選択されたベースプレートの第２の位置決め要素と前記選択された第２の緩衝モジュールの第２の被位置決め要素とにより、前記選択された第２の緩衝モジュールを前記選択されたベースプレートの前記第２の位置に位置決めして固着する靴底の製造方法。
【請求項１６】
請求項１２に記載の緩衝構造を備えた靴底の製造方法であって、
第１および第２の位置と前記各位置に対応する第１および第２の位置決め要素とを有するベースプレートと；前端部および後端部を有し、中足部の屈曲やネジレを抑制するための複数種類の強化部材と；前記ベースプレートの前記第１の位置に接合可能で、かつ、前記第１の位置決め要素により前記第１の位置に位置決めされるための第１の被位置決め要素と前記各強化部材の前端部を接合可能な第１接合部とを有する第１の緩衝モジュールと；前記ベースプレートの前記第２の位置に接合可能で、かつ、前記第２の位置決め要素により前記第２の位置に位置決めされるための第２の被位置決め要素と前記各強化部材の後端部を接合可能な第２接合部とを有する第２の緩衝モジュールと；を予め準備し、
前記準備された複数種類の強化部材のうち、所望の強化部材を選択し、
前記選択された強化部材の前端部を前記第１緩衝モジュールの第１接合部に接合すると共に、前記選択された強化部材の後端部を前記第２緩衝モジュールの第２接合部に接合し、
前記ベースプレートの第１の位置決め要素と前記第１の緩衝モジュールの第１の被位置決め要素とにより、前記第１の緩衝モジュールを前記選択されたベースプレートの前記第１の位置に位置決めして固着し、
前記ベースプレートの第２の位置決め要素と前記第２の緩衝モジュールの第２の被位置決め要素とにより、前記第２の緩衝モジュールを前記選択されたベースプレートの前記第２の位置に位置決めして固着する靴底の製造方法。
【請求項１７】
請求項８に記載の緩衝構造を備えた靴底の設計方法であって、
前記ベースプレートの前記所定の位置に前記複数の緩衝モジュールを配置して設計された第１の靴底のうちの少なくとも１つの緩衝モジュールを選択し、
前記選択された緩衝モジュールに代えて、前記選択された緩衝モジュールの位置の位置決め要素に対応する被位置決め要素を有する別の緩衝モジュールを前記選択された緩衝モジュールの位置に配置するように設計することで、第２の靴底を設計する靴底の設計方法。
【請求項１８】
請求項８に記載の緩衝構造を備えた靴底の設計方法であって、
前記ベースプレートの前記所定の位置に前記複数の緩衝モジュールを配置して設計された第１の靴底のうちの前記ベースプレートに代えて、前記複数の緩衝モジュールの被位置決め要素に対応する位置決め要素を有する別のベースプレートに前記複数の緩衝モジュールを配置するように設計することで、第２の靴底を設計する靴底の設計方法。
【請求項１９】
請求項１２に記載の緩衝構造を備えた靴底の設計方法であって、
前記ベースプレートの下方に前記強化部材を配置して設計された第１の靴底のうちの前記強化部材に代えて、前記緩衝モジュールの第１接合部に接合可能な前端部と前記緩衝モジュールの第２接合部に接合可能な後端部とを有する別の強化部材を前記ベースプレートの下方に配置するように設計することで、第２の靴底を設計する靴底の設計方法。
【発明の詳細な説明】
【技術分野】
【０００１】
本発明は、靴底の緩衝構造、その製造方法および設計方法に関するものである。
【背景技術】
【０００２】
靴底は、軽量であることに加えて、足を安定した状態に保持する安定機能、着地の衝撃を吸収して緩和する緩衝機能等の種々の機能が要求される。これらのうち重視される機能は、用途や靴底の部位等に応じて異なるが、特に後足部においては靴底の部位により異なるので、適宜対応できるような靴底の設計が望まれている。
【０００３】
前記安定機能や緩衝機能を向上させた靴底としては、下記の特許文献が挙げられる。
【特許文献１】特開平９−２８５３０４号
【特許文献２】Ｕ．Ｓ．Ｐ．６，６９４，６４２
【特許文献３】Ｕ．Ｓ．Ｐ．６，９１５，５９６
【０００４】
前記特許文献１には、柱状ないし壁状の緩衝部と該緩衝部の上に配置された板状の分散部を有する靴底が開示されている。しかし、この文献には、靴底の部位により機能が異なるように設計することは開示されていない。
前記特許文献２には、ミッドソールの下に上下のプレートおよび安定化ｐｏｄからなる緩衝ユニットを配置した靴底の構造が開示されている。しかし、この靴底では、後足部において、安定化ｐｏｄが上下のプレート間に挟まれた１つの緩衝ユニットのみが配置されているので、設計を変更し難く、そのため、靴底の部位により機能が異なるような設計は困難である。
前記特許文献３には、複数の開口を有するプレートに複数の突起を有する緩衝部材を嵌め込んだ靴が開示されている。しかし、この靴底では、緩衝部材は、一体成形されており、プレートより上方の部分の体積が大きいので、靴底の部位により機能が異なるような設計は困難である。
【発明の開示】
【０００５】
したがって、本発明の目的は、靴の用途、コンセプト、コスト等を考慮し、必要な機能を有する部材を靴底の各部位に適宜配置する設計を容易に行うことができる靴底の緩衝構造を提供することである。
【０００６】
本発明のある態様の靴底の緩衝構造は、中足部および後足部を支持するように、中足部および後足部の少なくとも一部を覆う、樹脂製のベースプレートと、前記ベースプレートの少なくとも下方に配置され、互いに別体に形成された複数の緩衝モジュールとを備え、前記ベースプレートは、後足部の周縁に沿った概ねＵ字状の部位において連なって形成されており、かつ、中足部において足幅方向に連なって形成されており、前記ベースプレートは、前記各緩衝モジュールを足長方向および足幅方向の双方に位置決めするための位置決め要素を有し、前記各緩衝モジュールは：前記ベースプレートの下面よりも下方に突出する部分を有し、着地の衝撃を吸収する緩衝要素と；当該緩衝要素の下面に接合され、路面に接地するアウターソールと；前記位置決め要素により前記各緩衝モジュールが足長方向および足幅方向の双方に位置決めされるための被位置決め要素と；を有し、前記位置決め要素および被位置決め要素により、前記各緩衝モジュールが前記ベースプレートの所定の位置に位置決めされて配置されており、前記各緩衝モジュールの天面の少なくとも一部が前記ベースプレートの下面に固着されており、後足部には、少なくとも２個以上の前記緩衝モジュールが配置されており、当該後足部の緩衝モジュールの緩衝要素は脚状に形成されており、前記後足部の緩衝モジュールは、少なくとも前後および／または内外に本質的に分離されて配置されており、後足部の各緩衝要素において、前記ベースプレートの下面よりも上方に突出した部分が無いか、あるいは、前記ベースプレートの下面よりも下方に突出した部分の体積が、前記ベースプレートの下面よりも上方に突出した部分の体積よりも大きく設定されている。
【０００７】
本緩衝装置によれば、異なる機能ないし特性を有する複数の緩衝モジュールをベースプレートに固着することで、靴底の部位に応じて必要な機能を備えた靴底の緩衝構造を容易に実現することができる。また、個々の緩衝モジュールを取り換えることで、設計の変更も容易となる。なお、「固着」とは、接着の他に溶着も含む。
【０００８】
ベースプレートとしては、たとえば、ナイロン、ポリウレタン、ＦＲＰなどの樹脂の非発泡体を用いることができる他、硬度の高いＥＶＡ（エチレン−酢酸ビニル共重合体）などを用いることができる。ベースプレートは、必ずしも一体成形する必要はないが、足裏を安定して保持できるように所定の剛性を確保するため、少なくとも樹脂の非発泡体を含む構成とするのが好ましい。剛性を確保することで、ベースプレート以外の他の構造を変更し易くなる
【０００９】
一方、緩衝要素としては、たとえば、ＥＶＡやポリウレタンなどの樹脂の発泡体や、いわゆるゲルのような衝撃吸収に適した素材を用いることができる他、コイルスプリングや非発泡樹脂の板バネ構造などを用いて緩衝要素としてもよい。これらの素材や構造を組み合わせて、緩衝要素としてもよい。
また、緩衝要素とベースプレートの固着性を考慮して、両者はウレタン系、スチレン系、オレフィン系、エチレン酢酸ビニル系などの主成分が同じ素材を使用してもよい。
【００１０】
なお、「少なくとも前後および／または内外に本質的に分離されて配置され」とは、互いに別体に形成された複数の緩衝モジュールが前後および／または内外に並んで配置されることをいい、後足部の各緩衝モジュールが離間して配置されている場合を含むほか、互いに接触して配置されている場合をも含む。
【００１１】
前記位置決め要素として、たとえば、ベースプレートの開口または凹部を設けることができ、前記被位置決め要素としては、たとえば、緩衝要素に前記開口または凹部に係合可能な凸部を設けることができる。この場合、前記凸部が前記開口または凹部に下面側から嵌まり込んでいることで、前記各緩衝モジュールがベースプレートに位置決めされる。
【００１２】
かかる位置決めを行う場合、前記ベースプレートの下面には、前記開口または凹部の周囲において、概ねフラットな平坦面が形成されており、前記緩衝要素の凸部の周囲の部分が前記ベースプレートの前記平坦面に密着した状態で、前記各緩衝モジュールが前記ベースプレートに固着されているのが好ましい。
かかる構造により、緩衝モジュールがベースプレートに一層強固に固着されるので、緩衝モジュールがベースプレートから剥がれ難くなる。
【００１３】
また、固着強度の観点から、前記緩衝モジュールの緩衝要素は、前記被位置決め要素として、複数の凸部を有し、前記ベースプレートは、前記複数の凸部を含む緩衝モジュールを位置決めするための位置決め要素として、前記複数の凸部に係合可能な複数の開口または凹部を有していてもよい。この場合、前記複数の凸部が前記複数の開口または凹部に嵌まり込んでいることで、前記複数の凸部を含む緩衝モジュールが前記ベースプレートに位置決めされる。
【００１４】
本発明の靴底においては、前記ベースプレートの中足部における足幅方向の単位幅当たりの曲げ剛性が、前記ベースプレートの後足部におけるそれよりも大きく設定されているのが好ましい。
かかる設定により、中足部を補強して、中足部の屈曲やネジレ抑制機能を向上させることができる。かかる設定は、中足部において、ベースプレートの内外に巻上部を設けたり、ベースプレートの厚みを大きくしたりすることで実現され得る。なお、「足幅方向の単位幅当たりの曲げ剛性」は、ベースプレートの曲げ剛性を、平面視におけるベースプレートの足幅方向の長さで除した値である。
【発明を実施するための最良の形態】
【００１５】
以下、本発明の実施例を図面にしたがって説明する。
第１実施例：
図１〜図３は第１実施例を示す。
図１に示すように、本実施例の靴底は、略板状のベースプレート１と、該ベースプレート１の下方に配置され、互いに別体に形成された第１〜第４緩衝モジュール２1 ，２2 ，２3 ，２4 とを備える。各緩衝モジュール２1 〜２4 は、着地の際の衝撃を吸収する緩衝要素２０と、該緩衝要素２０の下面に接合されたアウターソール２５とからなる。
【００１６】
前記ベースプレート１は一体成形された樹脂の非発泡体からなり、後足部の後端から前足部の先端まで延びており、足裏の概ね全体を支持する。中足部において、ベースプレート１の内外には上方に巻き上がる中足巻上部１８，１８が設けられている。また、ベースプレート１には、各緩衝モジュール２1 〜２4 を位置決めするための開口１１ａ〜１４ａが設けられている他、後足部の中央に開口１５ａが設けられている。図２Ｂにおいて、ベースプレート１の形状を分かり易くするために、ベースプレート１に網点が施されている（後述の図１１Ｂも同様）。
【００１７】
前記緩衝要素２０は、たとえば、ＥＶＡやポリウレタンなどの樹脂の発泡体などの衝撃吸収に適した素材で形成される。各緩衝要素２０には、前記ベースプレート１の外側において上方に巻き上がる第１巻上部２４が設けられている。これにより、足が安定して支持されると共に、ベースプレート１に対して各緩衝モジュール２1 〜２4 が位置ズレしにくくなる。
前記アウターソール２５は、路面や床面に接地し、耐摩耗性の大きい材料で形成されている。
【００１８】
図２Ｂの平面図に示すように、前記ベースプレート１は、後足部Ｂの周縁に沿った略Ｕ字状の部位において連なって形成されており、かつ、中足部Ｍにおいて足の幅方向に連なって形成されている。したがって、ベースプレート１には、後足部Ｂから中足部Ｍにかけてループ状の部分が設けられている。かかる構成により、後足部Ｂから中足部Ｍにかけて不用意に折れ曲がることを防止でき、所定の剛性が確保される。
【００１９】
また、前記ベースプレート１が足裏の概ね全面にわたって設けられている。このようにすることで、ベースプレート１の部分的なもしくは極端な折れ曲がりやネジレを抑制し得る。ソールの極端な変形を抑制することで、靴底接地時における体重心がスムースに移動できないという不都合が生じ難くなる。
特に、前記ベースプレート１は、前足部のＭＰ関節よりも前方の部位から後足部の後端にわたって設けられており、これにより、前足部の極端な折れ曲がりやネジレを抑制し得る。また、ベースプレート１が踵まで設けられていることで、踵部の安定保持を図り得る。
前記体重心のスムースな移動という観点から、体重心の軌跡（踵外側から爪先）に合わせて、軌跡方向の曲げ剛性を高めるように設定してもよい。
【００２０】
前記４つの緩衝モジュール２1 〜２4 のうち、第１緩衝モジュール２1 は、後足部Ｂの前部内側に配置され、第２緩衝モジュール２2 は後足部Ｂの前部外側に配置され、第３緩衝モジュール２3 は後足部Ｂの後部に配置され、第４緩衝モジュール２4 は前足部Ｆに配置される。したがって、後足部Ｂにおいて、第１緩衝モジュール２1 と第２緩衝モジュール２2 とは互いに内外に本質的に分離されて配置されており、第１および第２緩衝モジュール２1 ，２2 と第３緩衝モジュール２3 とは、前後に本質的に分離されて配置されている。前後および内外で必要とされる機能が異なる後足部においては、このような緩衝モジュールの分離が特に有用となる。
本実施例では、第１〜第３モジュール２1 〜２3 は互いに離間して配置されているが、図１０Ａ，Ｂのように、互いに接触した状態で配置されていてもよい。
【００２１】
なお、中足部Ｍにおいては、緩衝モジュールは実質的に配置されておらず、このため、前記後足部Ｂの第１〜第３緩衝モジュール２1 〜２3 と、前記前足部Ｆの第４緩衝モジュール２4 とは、実質的に互いに分断されている。中足部Ｍでは緩衝機能が差程必要とされず、また、軽量化を図るためである。
なお、中足部Ｍにおいて、ベースプレート１の上面に足のアーチに沿った表面形状を有する樹脂の発泡体（ミッドソール）を積層してもよい。また、ベースプレート１の下方に強化部材を設けてもよい。
【００２２】
図２Ａおよび図２Ｂに示すように、第１〜第３緩衝モジュール２1 〜２3 の緩衝要素２０は脚状に形成されており、第４緩衝モジュール２4 は厚板状に形成されている。各緩衝モジュール２1 〜２4 において、緩衝要素２０はベースプレートの下面１６よりも下方に突出する部分２０ａを有する。
【００２３】
図３Ａ〜図３Ｃに示すように、各緩衝モジュール２1 〜２4 において、緩衝要素２０の上面には上方へ突出した凸部２３が設けられている。この各凸部２３が、ベースプレート１の前記開口１１ａ〜１４ａに下側から嵌め込まれることで、前記各緩衝モジュール２1 〜２4 がベースプレート１上の所定の位置において足長方向Ｘおよび足幅方向Ｙに位置決めされて固着される。なお、図１、図６〜図９において、凸部２３の位置を明瞭にするため、凸部２３の上面にクロス（Ｘ）を付して表している。
【００２４】
この固着構造において、前記各緩衝モジュール２1 〜２4 の天面、つまり、緩衝要素２０の天面２１の一部（凸部２３以外の部分）が前記ベースプレート１の下面１６に固着されている。かかる天面２１の固着により、緩衝モジュール２1 〜２4 がベースプレート１から剥がれ難くなると共に、位置ズレし難くなる。
また、ベースプレート１の下面１６には、前記開口１１ａ〜１４ａの周囲に概ねフラットな平坦面１７が設けられており、該平坦面１７に前記緩衝要素２０の天面２１のうち凸部の周縁部２１ａが密着した状態で前記各緩衝モジュール２1 〜２4 が固着されている。これにより、更に固着力が向上する。
【００２５】
なお、図１に示すように、第３緩衝モジュール２3 の緩衝要素２０には、２つの凸部２３，２３が設けられており、ベースプレート１には該凸部２３，２３が嵌り込む２つの開口１３ａ，１３ａが設けられている。このように、１つの緩衝モジュールが複数の箇所でベースプレートに係合することで、固着力が向上する。かかる構造は、足の周縁に沿って足の内側から外側にわたって円弧状ないし半月状に形成され、後足部後端の第３緩衝モジュール２3 の固着において、特に有用である。
【００２６】
また、固着強度の観点から、ベースプレート１全体がアッパー（図示せず）に固着され、各緩衝モジュールの２1 〜２4 の天面が該アッパーに固着されているのが好ましい。
【００２７】
後足部Ｂの各緩衝要素２０において、前記ベースプレートの下面１６よりも下方に突出した下方突出部２０ａの体積が、前記ベースプレートの下面１６よりも上方に突出した部分、つまり、凸部２３および巻上部２４の体積よりも大きく設定されている。
【００２８】
本実施例では、各緩衝モジュール２1 〜２4 を位置決めするための位置決め要素として、ベースプレート１に開口１１ａ〜１４ａを設けたが、かかる開口に代えて、図４Ａ〜Ｃのように凹部１１ｂ〜１４ｂを設けてもよい。この凹部１１ｂ〜１４ｂに前記緩衝要素２０の凸部２３を嵌め込むことで、各緩衝モジュール２1 〜２4 が位置決めされる。なお、図４Ａ〜Ｃは、それぞれ、凹部２３を設けた靴底の前記図３Ａ〜Ｃと同位置における断面図である。
【００２９】
第２実施例：
図５Ａ〜図５Ｄは第２実施例を示す。なお、以下の実施例において、第１実施例と同一部分または相当部分には、同一符号を付して、その詳しい説明を省略する。
図５Ｂ〜図５Ｄに示すように、本実施例では、前足部および後足部において、ベースプレート１の周縁に上方に巻き上がった第２巻上部１９が設けられている。この第２巻上部１９および前記中足巻上部１８により、ベースプレートの概ね全周縁が巻き上がっている。
第２巻上部１９は前記緩衝要素２０の第１巻上部２４の内側において、第１巻上部２４に沿って上方に巻き上がっている。かかる巻上げにより、ベースプレート１の剛性が大きくなり、安定性が更に向上する。
【００３０】
また、図５Ａに示すように、後足部において、第１および第２緩衝モジュール２1 ，２2 と第３緩衝モジュール２3 との間の境界線は、前記第１実施例のように真っ直ぐの直線状ではなく、後足部の中央部で折れ曲がった直線状になっている。すなわち、緩衝モジュール２i を設けた後足部において、足を足幅方向および斜めに横断する直線が、いずれかの緩衝モジュール２i を横切るように、各緩衝モジュール２i の形状、大きさ、配置が設定されている。
このように設定することで、後足部Ｂの前記境界線で靴底が不用意に折れ曲がるのを防止でき、安定性が向上する。
【００３１】
第３実施例：
図６は第３実施例を示す。
本実施例では、ベースプレート１において、中足巻上部は設けられておらず、第２巻上部１９が後足部のみに設けられている。この第２巻上部１９は、緩衝要素２０の第１巻上部２４の頂部よりも上方に大きく延びており、いわゆるヒールカウンタの機能を果たすことができる。
かかる第２巻上部１９は、図７のように、中足部から連なって巻き上がるようにしてもよく、踵の後側の上側部分に、略Ｕ字状に切り欠かれた切欠部１９ａが設けられていてもよい。
【００３２】
第４実施例：
図８および図９は第４実施例を示す。
本実施例では、ベースプレート１に多数の孔１１ｃ〜１４ｃが設けられている。このように多数の孔を設けることにより、ベースプレート１の軽量化を図り得る。また、ベースプレート１に接合される各緩衝モジュール２i の形状や数を大幅に変更することができる。
【００３３】
一方、ベースプレート１の下方に配置される各緩衝モジュール２1 〜２4 の緩衝要素２０には、前記多数の孔１１ｃ〜１４ｃに対応して、複数の凸部２３が設けられている。各緩衝モジュール２1 〜２4 の複数の凸部２３が、それぞれ、前記ベースプレート１の複数の孔１１ｃ〜１４ｃに嵌り込むことで、各緩衝モジュール２1 〜２4 がベースプレート１上に位置決めされる。この複数の凸部２３は、各緩衝モジュール２1 〜２4 が配置される部位の全ての孔に係合するように設けられている必要はなく、多数の孔のうちの選択された１以上の孔に係合するように設けられていればよい。したがって、本実施例のベースプレート１に対しては、凸部２３の設けられる部位を変更した種々の緩衝モジュールを形成し得る。
【００３４】
第５実施例：
図１１Ａ〜図１１Ｃは第５実施例を示す。
本実施例では、前足部の後端部から中足部を通って後足部の前端部に至る部位において、前記ベースプレート１の下方に樹脂の非発泡体の強化部材４０（二点鎖線で示される）が設けられている。
前記強化部材４０は、中足部において、前記ベースプレート１に対して本質的に上下に離間して配置されている。図１１Ａ，図１１Ｃに示すように、強化部材４０の前端部４０ｆは前足部の後端側において第４緩衝モジュール２4 の緩衝要素２０の第１段部５１（第１接合部の一例）に接合されている（嵌め込まれている）。強化部材４０の後端部４０ｂは内外に分かれており、それぞれ、後足部の前端側において、第２緩衝モジュール２2 の緩衝要素２０の第２段部５２、第１緩衝モジュール２1 の緩衝要素２０の第２段部５２に接合されている（嵌め込まれている）。前記前端部４０ｆおよび後端部４０ｂは緩衝要素２０とアウターソール２５との間で挟持されている。強化部材４０の前端部４０ｆ、後端部４０ｂはベースプレート１に接合されていてもよい。
このように、ベースプレート１および強化部材を、互いに上下に離間した状態で、中足部に配置することにより、靴底の中足部は、補強されて曲げ剛性が大きくなるが、それに伴う突き上げを緩和しつつ、中足部の屈曲やネジレが抑制される。
【００３５】
前記各実施例では、ベースプレート１が前足部から後足部にかけて延びていたが、ベースプレート１は必ずしも前足部にまで延びている必要はない。たとえば、図１０Ｃのように、ベースプレート１を前足部に設けずに、中足部から後足部にかけてのみ延びるように設けてもよい。また、図１０Ｄのように、ベースプレート１が前足部のＭＰ関節の近傍の部位から後足部の後端にわたってのみ設けられてもよい。これらの場合、前足部には緩衝モジュールは配置されない。
また、ベースプレート１の上に別の緩衝要素３１（ミッドソール）が配置されてもよく、当該別の緩衝要素３１は、図１０Ｃのように前足部から後足部にかけて延びるように設けられてもよいし、図１０Ｄのように前足部にのみ設けられてもよい。
【００３６】
製造方法：
次に、前記各実施例の靴底を製造する方法の一例を説明する。
まず、（１）後足部の前部外側の位置、後足部の前部内側の位置および後足部の後部の位置に開口（たとえば、図１の１１ａ〜１３ａ）または凹部（たとえば、図４Ａ〜Ｃの１１ｂ〜１３ｂ）を有する複数種類のベースプレート、（２）前記後足部の前部外側の位置の開口または凹部に嵌め込み可能な凸部を有する複数種類の第１緩衝モジュール、（３）前記後足部の前部内側の位置の開口または凹部に嵌め込み可能な凸部を有する複数種類の第２緩衝モジュール、（４）前記後足部の後部の位置の開口または凹部に嵌め込み可能な凸部を有する複数種類の第３緩衝モジュール、を予め準備する。
【００３７】
前記複数種類のベースプレートとしては、たとえば、図１３Ｂに示す種別Ｉ〜ＶＩＩのベースプレートを採用することができる。すなわち、各緩衝モジュールとしては、Ｉ．中足部にのみ巻上げを有する非発泡樹脂のプレート（たとえば、図１のベースプレート１）、ＩＩ．全周縁にわたって巻上げを有する非発泡樹脂のプレート（たとえば、図５Ａ〜図５Ｃのベースプレート１）、ＩＩＩ．後足部にのみ巻上げを有する非発泡樹脂のプレート（たとえば、図６のベースプレート１）、ＩＶ．中足部から後足部にわたって巻上げを有する非発泡樹脂のプレート（たとえば、図７のベースプレート１）、Ｖ．巻上げが無く、多数の孔が設けられた非発泡樹脂のプレート（たとえば、図８のベースプレート１）、ＶＩ．フィルムが表面に積層された発泡樹脂（たとえば、ＥＶＡ発泡体）のプレート、ＶＩＩ．発泡樹脂のみからなるプレートなどの、複数種類のモジュールが用意される。各種類のベースプレートは、それぞれ、前記緩衝モジュールの凸部が係合可能な開口または凹部を有している。
【００３８】
前記複数種類の第１〜第３緩衝モジュールとしては、たとえば、図１３Ａに示す種別Ｉ〜Ｖのモジュールを採用することができる。すなわち、各緩衝モジュールとしては、Ｉ．硬度の高いＥＶＡ発泡体、ＩＩ．硬度の低いＥＶＡ発泡体、ＩＩＩ．ゲル入りのＥＶＡ発泡体、ＩＶ．コイルスプリング、Ｖ．非発泡樹脂からなる板バネ構造体などの、複数種類のモジュールが用意される。各種類の緩衝モジュールは、それぞれ、上方に突出した凸部を有している。
【００３９】
なお、前記ゲル入りのＥＶＡ発泡体としては、ＰＣＴ／ＪＰ２００５／８７７８のＦＩＧ．７に示される、ＥＶＡ発泡体の中心に柱状のゲルを挿入したものを用いることができる。前記非発泡体樹脂からなる板バネ構造体としては、同出願の図３に示されるチューブ状に成形された非発泡樹脂や、同出願の図２２Ａ〜Ｇに示すような断面略Ｕ字状ないし略Ｖ字状に成形された非発泡樹脂を用いることができる。
【００４０】
次に、前記準備された複数種類のベースプレートのうち、所望のベースプレートを選択し、前記準備された複数種類の第１〜第３緩衝モジュールのうち、所望の第１〜第３緩衝モジュールを選択する。これらの選択は、前記後足部の各部位に必要な機能や、重量、コスト等の種々の要因を考慮して決定することができる。たとえば、足の後足部の外側が着地時の衝撃を大きく受けるので高い緩衝性が必要であることを重視すると、前記第２緩衝モジュールとして、硬度の低いＥＶＡ発泡体やゲル入りのＥＶＡ発泡体を選択することができ、足の内側への倒れ込みを抑制することを重視すると、前記第１緩衝モジュールとして、前記硬度の高いＥＶＡ発泡体を選択することができる。また、反発性を重視する場合、前記コイルスプリングや板バネ構造体を選択することができる。
【００４１】
そして、選択された第１〜第３緩衝モジュールの凸部を、それぞれ、前記選択されたベースプレートの後足部の前部外側の位置の開口または凹部、後足部の前部内側の位置の開口または凹部、後足部の後部の位置の開口または凹部に嵌め込んで、各緩衝モジュールをベースプレート上に位置決めして固着する。このようにして、前記実施例の靴底が完成する。
【００４２】
このような製造方法を採用することで、靴底の各部位に所望の機能を持たせた靴底を容易に製造することができる。また、足の大きさや用途等に合わせた複数種類のベースプレートを用意して、選択できるようにすることで、足のサイズや用途等の異なる複数種類の靴底を容易に製造することができる。
なお、前足部の第４緩衝モジュールについても、予め複数種類用意して、これから選択して固着させるようにするようにしてもよい。また、１種類のベースプレートだけを用意して、緩衝モジュールだけを選択するようにしてもよい。同一の組み合わせの緩衝モジュールを用いて、ベースプレートだけを選択するようにしてもよい。
【００４３】
また、前記第５実施例のように中足部に強化部材が設けられている靴底を製造する場合には、前記（１）〜（４）のようなベースプレートおよび複数の緩衝モジュールに加え、複数種類の強化部材を予め準備する製造方法を採用することができる。
この場合、前足部に配置される緩衝モジュールとしては、前記各強化部材の前端部を接合可能な第１段部（たとえば、図１１Ａの５１）を有する緩衝モジュールを準備すると共に、後足部に配置される緩衝モジュールとしては、前記各強化部材の後端部を接合可能な第２段部（たとえば、図１１Ａの５２）を有する緩衝モジュールを準備する。一方、前記複数種類の強化部材としては、前端部が前記第１段部に接合可能な形状であり、後端部が前記第２段部に接合可能な形状の強化部材を準備する。
【００４４】
たとえば、図１２の（ｋ）に示す靴底においては、前足部の緩衝モジュール２の緩衝要素２０の後端側には第１段部５１が設けられており、後足部の緩衝モジュール２の緩衝要素２０の前端側には第２段部５２が設けられている。かかる緩衝モジュール２，２に対しては、図１２の（ａ）〜（ｊ）の強化部材４０（図１３Ｃに示す種別ａ〜ｊの強化部材）を接合することができる。これらの強化部材４０は、それぞれ、前記第１段部５１に沿った形状の、つまり、第１段部５１に接合可能な前端部４０ｆと、前記第２段部５２に沿った形状の、つまり、前記第２段部５２に接合可能な後端部４０ｂとを有する。したがって、図１２の（ｋ）の緩衝モジュール２，２を採用する場合、前記複数種類の強化部材として、図１２の（ａ）〜（ｊ）の強化部材４０を採用することができる。図１２の（ａ）〜（ｊ）の強化部材４０は、いずれも非発泡の樹脂からなり、図１３Ｃの図表に示す機能や特性を有する。
【００４５】
次に、前記準備された複数種類の強化部材のうち、所望の強化部材を選択する。この選択では、強化部材の機能や目的等に応じて、形状、大きさや材料等が適切なものを適宜選択することができる。屈曲・外ネジレを抑制し、内側および外側の双方を強化することを重視すると、図１２の（ｃ）の平面視Ｎ型の強化部材を選択することができる。
【００４６】
そして、図１２の（ａ）〜（ｊ）のうちから選択された強化部材４０の前端部４０ｆを前足部の緩衝モジュール２の第１段部５１（図１２の（ｋ））に接合すると共に、後端部４０ｂを後足部の緩衝モジュール２の第２接合部５２（図１２の（ｋ））に接合する。この際、前端部４０ｆおよび後端部４０ｂを緩衝要素２０とアウターソールとの間で挟持して固着するようにしてもよい。
そして、強化部材４０の接合された緩衝モジュール２，２を、前述の製造方法と同様にして、ベースプレート上に位置決めして固着する。このようにして、たとえば図１２の（ｋ）のような強化部材を備えた靴底が完成する。
【００４７】
このような複数種類の強化部材を予め準備する製造方法を採用することで、靴底の中足部に所望の機能を持たせた靴底を容易に製造することができる。なお、複数種類の強化部材は、前記図１２の（ａ）〜（ｊ）に示すもの以外のものであってもよく、平面視λ型、平面視Ｖ型、平面視Ｘ型、平面視Ｈ型、平面視Ｎ型、平面視Ｉ型、平面視Ｙ型、平面視ＩＩＩ型、平面視８型などの種々の形状のものを適宜使用できる。
【００４８】
設計方法：  
つぎに、前記各実施例の靴底の設計方法の一例を説明する。
前記実施例のように設計された第１の靴底の第１〜第４緩衝モジュールのうちの少なくとも１つの緩衝モジュールを選択する。そして、該選択された緩衝モジュールに代えて、選択された緩衝モジュールの位置の凹部または開口に対応する凸部を有する別の緩衝モジュールを前記選択された緩衝モジュールの位置に配置するように設計することで、新たな第２の靴底が設計される。この第２の靴底の設計においては、ベースプレートとして、前記第１の靴底と同じベースプレートが用いられ、選択されなかった緩衝モジュールについては、前記第１の靴底と同じ緩衝モジュールが用いられる。すなわち、第２の靴底においては、前記選択された緩衝モジュール以外の部品については前記第１の靴底と同じものが用いられる。
【００４９】
このような緩衝モジュールを変更する設計手法により、同じプレートを利用して、変更したい緩衝モジュールと同じ凸部を有する別の緩衝モジュールを作成するだけで靴底の設計変更ができる。また、前記製造方法において予め準備された緩衝モジュールだけでなく、別の素材または構造からなる緩衝モジュールを作成して靴底の設計変更ができるから、設計の自由度が大きくなる。
【００５０】
また、ベースプレートを変更することで、靴底の設計を行ってもよい。
この場合、前記実施例のように設計された第１の靴底のうちのベースプレートに代えて、前記複数の緩衝モジュールの凸部に対応する開口または凹部を有する別のベースプレートに前記複数の緩衝モジュールを配置するように設計することで、第２の靴底を設計する。この第２の靴底の設計においては、緩衝モジュールとして、前記第１の靴底と同じ組み合わせの緩衝モジュールが用いられる。
たとえば、第１実施例の靴底（図１）のうち、第１〜第４緩衝モジュール２1 〜２4 を変更せずに、ベースプレート１を第３実施例（図６）や第４実施例（図７）のものに変更すれば、第３，第４実施例の靴底が設計できる。
【００５１】
このようなベースプレートを変更する設計手法により、同じ組み合わせの緩衝モジュールを利用して、該組み合わせの緩衝モジュールに対応する開口または凹部を有する別のプレートを作成するだけで靴底の設計変更ができる。また、前記製造方法において予め準備されたベースプレートだけでなく、別の素材または構造からなるベースプレートを作成して靴底の設計変更ができるから、設計の自由度が大きくなる。
【００５２】
また、ベースプレートの下方に前記強化部材を配置して設計された靴底の場合、強化部材を変更することで、靴底の設計を行ってもよい。
この場合、たとえば、前記第５実施例のように設計された第１の靴底のうちの前記強化部材に代えて、緩衝モジュールの第１段部に接合可能な前端部と緩衝モジュールの第２段部に接合可能な後端部とを有する別の強化部材をベースプレートの下方に配置するように設計することで、第２の靴底を設計する。この第２の靴底においては、緩衝モジュールおよびベースプレートとして、前記第１の靴底と同じ緩衝モジュールおよびベースプレートが用いられる。
たとえば、前記図１２の（ｋ）の靴底では、図１２（ｃ）の強化部材４０が配置されているが、かかる強化部材４０に代えて、前足部の緩衝モジュール２の第１段部５１に接合可能な前端部と後足部の緩衝モジュールの第２接合部５２に接合可能な後端部４０ｂとを有する別の強化部材４０（図１２（ａ），（ｂ），（ｄ）〜（ｊ））を前記ベースプレートの下方に配置するように設計することで第２の靴底が設計できる。
【００５３】
このような強化部材を変更する設計手法により、同じベースプレートおよび緩衝モジュールを利用して、該緩衝モジュールの第１および第２段部に対応する前端部および後端部有する別の強化部材を作成するだけで靴底の設計変更ができる。また、前記製造方法において予め準備された強化部材だけでなく、別の素材または構造からなる強化部材を作成して靴底の設計変更ができるから、設計の自由度が大きくなる。
【００５４】
以上のとおり、図面を参照しながら好適な実施例を説明したが、当業者であれば、本明細書を見て、自明な範囲で種々の変更および修正を容易に想定するであろう。
たとえば、前記各実施例では、後足部に３個の緩衝モジュールが設けられていたが、後足部の緩衝モジュールは４個以上でもよいし、２個でもよい。前足部の緩衝モジュールを２個以上にしてもよい。
また、ベースプレートは２以上の部材で構成されていてもよい。
したがって、そのような変更および修正は、請求の範囲から定まる本発明の範囲のものと解釈される。
【産業上の利用可能性】
【００５５】
本発明は、運動靴などの種々の靴の靴底に適用することができる。
【図面の簡単な説明】
【００５６】
【図１】本発明の第１実施例にかかる靴底の上面側からみた斜視図である。
【図２】Ａは同靴底の内側面図、Ｂは同平面図、Ｃは同外側面図である。
【図３】Ａは図２ＢのIIIa-IIIa 線断面図、Ｂは図２ＢのIIIb-IIIb 線断面図、Ｃは図２ＢのIIIc-IIIc 線断面図である。
【図４】Ａ，ＢおよびＣは、変形例の靴底の断面図である。
【図５】Ａは本発明の第２実施例にかかる靴底の平面図、Ｂは図５ＡのVb-Vb 線断面図、Ｃは図５ＡのVc-Vc 線断面図、Ｄは図５ＡのVd-Vd 線断面図である。
【図６】本発明の第３実施例にかかる靴底の上面側から見た斜視図である。
【図７】変形例の靴底の上面側から見た斜視図である。
【図８】本発明の第４実施例にかかる靴底の上面側から見た斜視図である。
【図９】同靴底の平面図である。
【図１０】Ａは変形例にかかる靴底の後足部の緩衝モジュールの部分平面図、Ｂは同部分外側面図であり、ＣおよびＤは、それぞれ、別の変形例を示す外側面図である。
【図１１】Ａは本発明の第５実施例にかかる靴底の内側面図、Ｂは同平面図、Ｃは同外側面図である。
【図１２】（ａ）〜（ｊ）は強化部材の例を示す底面図、（ｋ）はアウターソールを取り外した状態の靴底の底面図である。
【図１３】Ａは緩衝モジュールの種類を示す図表、Ｂはベースプレートの種類を示す図表、Ｃは強化部材の種類を示す図表である。
【符号の説明】
【００５７】
１：ベースプレート
１１ａ，１２ａ，１３ａ，１４ａ：開口
１１ｂ，１２ｂ，１３ｂ，１４ｂ：凹部
１１ｃ，１２ｃ，１３ｃ，１４ｃ：孔
１６：下面
１７：平坦面
２1 ，２2 ，２3 ，２4 ：緩衝モジュール
２０：緩衝要素
２０ａ：下方突出部
２１：天面
２３：凸部
２５：アウターソール
４０：強化部材
４０ｆ：前端部
４０ｂ：後端部
５１：第１段部（第１接合部）
５２：第２段部（第２接合部）
Ｆ：前足部
Ｍ：中足部
Ｂ：後足部
Ｘ：足長方向
Ｙ：足幅方向
【図１】
2007089734.tif 000003
【図２】
2007089734.tif 000004
【図３】
2007089734.tif 000005
【図４】
2007089734.tif 000006
【図５】
2007089734.tif 000007
【図６】
2007089734.tif 000008
【図７】
2007089734.tif 000009
【図８】
2007089734.tif 000010
【図９】
2007089734.tif 000011
【図１０】
2007089734.tif 000012
【図１１】
2007089734.tif 000013
【図１２】
2007089734.tif 000014
【図１３】
2007089734.tif 000015